(57)【要約】      （修正有）【課題】一足の靴を分解し、ダイエットシューズに変えたり、また元の靴に復元したりすることができる分解式ダイエットシューズを提供する。【解決手段】靴の甲を前部靴の甲３と後部靴の甲４、靴底を前部靴底１と後部靴底２に分解し、前述の前部靴底１と後部靴底２にそれぞれ凹型連結スライドレール５と凸型連結スライダー６を設け、前部靴底１と後部靴底２を連結する。尚、前述の前部靴底１の中敷きに足指マッサージ凸条ストリップ７と足底マッサージ凸条ストリップ８を設ける。これにより、一足の靴を分解し、ダイエットシューズに変えたり、また元の靴に復元したりすることができ、携帯や保管上便利、使用上簡単なことでダイエットし易い。【選択図】図１
0003180534.tif 000002
【実用新案登録請求の範囲】
【請求項１】
靴の甲を前部靴の甲と後部靴の甲、靴底を前部靴底と後部靴底に分解し、その前部靴底と後部靴底にそれぞれ凹型連結スライドレールと凸型連結スライダーを設け、前部靴底と後部靴底を連結する。尚、前述の前部靴底の中敷きに足指マッサージ凸条ストリップと足底マッサージ凸条ストリップを設ける。
【請求項２】
前述の前部靴の甲の外側両サイトに長連結紐と短連結紐を設け、長連結紐と短連結紐の間に蝶番を設ける。
【請求項３】
前述の前部靴の甲の上部内側に前後連結紐を設け、前部靴の甲の上部外側にホックの台側を設け、前後連結紐にホックボタン側を設ける。
【請求項４】
前述の後部靴の甲の内側両サイトに左ワンタッチテープと右ワンタッチテープを設けることを特徴とする分解式ダイエットシューズ。
【考案の詳細な説明】
【技術分野】
【０００１】本考案は、日常生活用品にかかわるもので、靴に関する分解式ダイエットシューズである。
【背景技術】
【０００２】健康ブームがより高まっていく現代社会で、健康促進のため、一層注目されているのはウォーキングダイエットである。従って、さまざまなウォーキングダイエットシューズが市販されているが、常にダイエットシューズを持って移動するのは不便であり、保管上も面倒である。
【考案の開示】
【考案が解決しようとする課題】
【０００３】本考案は、多様化していくウォーキングダイエットシューズのなかで、一足の靴を二分して、ダイエットシューズに変えることも、又二分された物をもとの靴に復元することができる。携帯や保管上の便利でダイエットをよりしやすくするものである。
【課題を解決するための手段】
【０００４】本考案は、靴の甲を前部靴の甲と後部靴の甲、靴底を前部靴底と後部靴底に二分し、その二分した前後の靴底に横一線凹型連結スライドレールと凸型の連結スライダーを設ける。前部靴底の中敷きに足指マッサージ凸条ストリップと足底マッサージ凸条ストリップを設ける。【０００５】前述の前部靴の甲の外側両サイトに長連結紐と短連結紐を設け、長連結紐と短連結紐を蝶番で連結する。【０００６】前述の前部靴の甲の上部内側に前後連結紐を設け、その先端にホックのボタン側設ける。また、同靴の甲の上部外側にホックの台側を設ける。【０００７】前述の後部靴の甲の内側両サイトにワンタッチテープを設ける。
【考案の効果】
【０００８】上述の様に、本考案は一足の靴を二分して、ダイエットシューズに変えることも、又二分された物をもとの靴に復元させることができる。一足の靴で二役を果たすこと、必要な時、適当な場所で簡単便利にダイエットすることができる。
【考案の実施するための最良の形態】
【０００９】通常の靴として履くときは、前述の前部靴底の中敷きに設けた足指マッサージ凸条ストリップと足底マッサージ凸条ストリップでダイエット効果を得る。また、靴を前述の短連結紐と長連結紐の蝶番を解き、前後連結紐に設けたホックのボタン側をホックの台側からはずし、前後連結紐を後部靴の甲から引き離し、最後、凸型連結スライダーを凹型連結スライドレールから引き離すと靴は前後二分され、その靴の前部を履いてダイエットし、その靴の後部を履いてダイエットする。靴の分解使用が終わったら前述の凸型連結スライダーと凹型連結スライドレールで靴底を連結し、前述の前後連結紐に設けたホックのボタン側とホックの台側で靴の甲の上部を連結し、前述の短連結紐と長連結紐の蝶番で靴の前後部を結び、元の靴に復元する。
【実施例】
【００１０】以下、添付図面に従って一実施例を説明する。本考案の靴は靴の甲と靴底で構成してある。靴底は前述の前部靴底１と後部靴底２で構成し、靴の甲は前述の前部靴の甲３と後部靴の甲４で構成し、前部靴底１と後部靴底２に凹型連結スライドレール５と凸型連結スライダー６に設け、凸型連結スライダー６と凹型連結スライドレール５で前部靴底と後部靴底を連結する。前述の前部靴底１の中敷き面に足指マッサージ凸条ストリップ７と足底マッサージ凸条ストリップ８を設ける。前述の前部靴底３の外側両サイトに長連結紐９と短連結紐１０を設け、長連結紐９と短連結紐１０の間に蝶番１１を設ける。前述の前部靴の甲３の上部内側に前後連結紐１２を設け、前部靴の甲３の上部外側にホックの台側１３を設け、前後連結紐１２にホックボタン側１４を設ける。前述の後部靴の甲４の内側両サイトに左ワンタッチテープ１５と右ワンタッチテープ１６を設ける。【００１１】使用時、凸型連結スライダー６を凹型連結スライドレール５に入れ、長連結紐９と短連結紐１０を蝶番１１で結ぶ。また、前後連結紐１２を後部靴の甲に通し、前後連結紐１２に設けてあるホックのボタン側１４をホックの台側１３に取り付ける。そして靴は組み立てられ、靴を履くと前部靴底１の中敷きに設けた足指マッサージ凸条ストリップ７と足底マッサージ凸条ストリップ８でマッサージ効果を発し、血液循環を促進し、ダイエット目的に至る。【００１２】靴を二分する時は短連結紐１０と長連結紐９を蝶番１１で解き、前後連結紐１２に設けたホックボタン側１４をホック台側１３からはずし、前後連結紐１２を後部靴の甲４から引き離し、最後、凸型連結スライダー６を凹型連結スライドレール５から引き離すと靴は前後二分される。そして、分解した靴の前部を履き、足の踵部を浮き状態にし、人体の重心を足先でバランスを取り、前部靴底１の中敷きに設けた足指マッサージ凸条ストリップ７と足底マッサージ凸条ストリップ８がより効果できに働き、血液循環を良くし、ダイエット効果に至る。また、後部靴底２の靴の後部を履き、左ワンタッチテープ１５と右ワンタッチテープ１６で接着し、足の前部を浮き状態にすると足踵で人体の重心バランスを取り、前脛骨筋を鍛え、ダイエット効果に至る。
【図面の簡単な説明】
【００１３】
【図１】本考案の立体図面である。
【符号の説明】
【００１４】１  前部靴底
２  後部靴底
３  前部靴の甲
４  後部靴の甲
５  凹型連結スライドレール
６  凸型連結スライダー
７  足指マッサージ凸条ストリップ
８  足底マッサージ凸条ストリップ
９  長連結紐
１０  短連結紐
１１  蝶番
１２  前後連結紐
１３  ホックの台側
１４  ホックのボタン側
１５  左ワンタッチテープ
１６  右ワンタッチテープ
【図１】
0003180534.tif 000003
【手続補正書】
【提出日】平成24年10月10日(2012.10.10)
【手続補正１】
【補正対象書類名】実用新案登録請求の範囲
【補正対象項目名】全文
【補正方法】変更
【補正の内容】
【実用新案登録請求の範囲】
【請求項１】
前部靴の甲と後部靴の甲からなる靴の甲と、前部靴底と後部靴底とからなる靴底とからなり、その前部靴底と後部靴底にそれぞれ凹型連結スライドレールと凸型連結スライダーを設け、前部靴底の中敷きの足指部と足底部に左右に伸びる凸条部を設けたことを特徴とする分解式ダイエットシューズ。
【請求項２】
前記分解式ダイェットシューズにおいて、前部靴の甲の外側両サイトに長連結紐と短連結紐を設け、長連結紐と短連結紐の間に蝶番を設けたことを特徴とする請求項１記載の分解式ダイェットシューズ。
【請求項３】
前記分解式ダイェットシューズにおいて、前部靴の甲の上部内側に前後連結紐を設け、前部靴の甲の上部外側にホックの台側を設け、前後連結紐にホックボタン側を設けたことを特徴とする請求項１記載の分解式ダイェットシューズ。
【請求項４】
前記分解式ダイエットシューズにおいて、後部靴の甲の内側両サイトに左ワンタッチテープと右ワンタッチテープを設けたことを特徴とする請求項１記載の分解式ダイエットシューズ。
【手続補正２】
【補正対象書類名】明細書
【補正対象項目名】全文
【補正方法】変更
【補正の内容】
【考案の詳細な説明】
【技術分野】
【０００１】  本考案は、日常生活用品にかかわるもので、靴に関する分解式ダイエットシューズである。
【背景技術】
【０００２】  健康ブームがより高まっていく現代社会で、健康促進のため、一層注目されているのはウォーキングダイエットである。従って、さまざまなウォーキングダイエットシューズが市販されているが、常にダイエットシューズを持って移動するのは不便であり、保管上も面倒である。
【考案の開示】
【考案が解決しようとする課題】
【０００３】  本考案は、多様化していくウォーキングダイエットシューズのなかで、一足の靴を二分して、ダイエットシューズに変えることも、又二分された物をもとの靴に復元することができる。携帯や保管上の便利でダイエットをよりしやすくするものである。
【課題を解決するための手段】
【０００４】  本考案は、靴の甲を前部靴の甲と後部靴の甲、靴底を前部靴底と後部靴底に二分し、その二分した前後の靴底に横一線凹型連結スライドレールと凸型の連結スライダーを設ける。前部靴底の中敷きに足指部に左右に伸びる凸条部と足底部に左右に伸びる凸条部を設ける。【０００５】  前述の前部靴の甲の外側両サイトに長連結紐と短連結紐を設け、長連結紐と短連結紐を蝶番で連結する。【０００６】  前述の前部靴の甲の上部内側に前後連結紐を設け、その先端にホックのボタン側設ける。また、同靴の甲の上部外側にホックの台側を設ける。【０００７】  前述の後部靴の甲の内側両サイトにワンタッチテープを設ける。
【考案の効果】
【０００８】  上述の様に、本考案は一足の靴を二分して、ダイエットシューズに変えることも、又二分された物をもとの靴に復元させることができる。一足の靴で二役を果たすこと、必要な時、適当な場所で簡単便利にダイエットすることができる。
【考案の実施するための最良の形態】
【０００９】  通常の靴として履くときは、前述の前部靴底の中敷きに設けた足指部に左右に伸びる凸条部と足底部に左右に伸びる凸条部でダイエット効果を得る。また、靴を前述の短連結紐と長連結紐の蝶番を解き、前後連結紐に設けたホックのボタン側をホックの台側からはずし、前後連結紐を後部靴の甲から引き離し、最後、凸型連結スライダーを凹型連結スライドレールから引き離すと靴は前後二分され、その靴の前部を履いてダイエットし、その靴の後部を履いてダイエットする。靴の分解使用が終わったら前述の凸型連結スライダーと凹型連結スライドレールで靴底を連結し、前述の前後連結紐に設けたホックのボタン側とホックの台側で靴の甲の上部を連結し、前述の短連結紐と長連結紐の蝶番で靴の前後部を結び、元の靴に復元する。
【実施例】
【００１０】  以下、添付図面に従って一実施例を説明する。本考案の靴は靴の甲と靴底で構成してある。靴底は前述の前部靴底１と後部靴底２で構成し、靴の甲は前述の前部靴の甲３と後部靴の甲４で構成し、前部靴底１と後部靴底２に凹型連結スライドレール５と凸型連結スライダー６に設け、凸型連結スライダー６と凹型連結スライドレール５で前部靴底と後部靴底を連結する。前述の前部靴底１の中敷き面に足指部に左右に伸びる凸条７と足底部に左右に伸びる凸条８を設ける。前述の前部靴底３の外側両サイトに長連結紐９と短連結紐１０を設け、長連結紐９と短連結紐１０の間に蝶番１１を設ける。前述の前部靴の甲３の上部内側に前後連結紐１２を設け、前部靴の甲３の上部外側にホックの台側１３を設け、前後連結紐１２にホックボタン側１４を設ける。前述の後部靴の甲４の内側両サイトに左ワンタッチテープ１５と右ワンタッチテープ１６を設ける。【００１１】  使用時、凸型連結スライダー６を凹型連結スライドレール５に入れ、長連結紐９と短連結紐１０を蝶番１１で結ぶ。また、前後連結紐１２を後部靴の甲に通し、前後連結紐１２に設けてあるホックのボタン側１４をホックの台側１３に取り付ける。そして靴は組み立てられ、靴を履くと前部靴底１の中敷きに設けた足指部に左右に伸びる凸条７と足底部に左右に伸びる凸条８でマッサージ効果を発し、血液循環を促進し、ダイエット目的に至る。【００１２】  靴を二分する時は短連結紐１０と長連結紐９を蝶番１１で解き、前後連結紐１２に設けたホックボタン側１４をホック台側１３からはずし、前後連結紐１２を後部靴の甲４から引き離し、最後、凸型連結スライダー６を凹型連結スライドレール５から引き離すと靴は前後二分される。そして、分解した靴の前部を履き、足の踵部を浮き状態にし、人体の重心を足先でバランスを取り、前部靴底１の中敷きに設けた足指部に左右に伸びる凸条７と足底部に左右に伸びる凸条８がより効果できに働き、血液循環を良くし、ダイエット効果に至る。また、後部靴底２の靴の後部を履き、左ワンタッチテープ１５と右ワンタッチテープ１６で接着し、足の前部を浮き状態にすると足踵で人体の重心バランスを取り、前脛骨筋を鍛え、ダイエット効果に至る。
【図面の簡単な説明】
【００１３】
【図１】本考案の立体図面である。
【符号の説明】
【００１４】１前部靴底２後部靴底３前部靴の甲４後部靴の甲５凹型連結スライドレール６凸型連結スライダー７足指部に左右に伸びる凸条８足底部に左右に伸びる凸条９長連結紐１０短連結紐１１蝶番１２前後連結紐１３ホックの台側１４ホックのボタン側１５左ワンタッチテープ１６右ワンタッチテープ